【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
記録層を備え、バンド内に第１トラックおよび前記第１トラックと部分的に重なる第２トラックとを含むトラック群を有するディスクと、
前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと、
前記ライトヘッド及び前記リードヘッドの位置を制御するコントローラと
を具備し、
前記コントローラは、
初期過程で測定される前記ディスクの記録信号品質を保存する保存処理と、
前記データの書き込み前に前記ディスクの記録信号品質を検査する検査処理と、
前記検査処理で得られた記録信号品質が前記保存処理で保存された初期過程での記録信号品質と比較して基準を満たしているか判定する判定処理と、
前記判定処理の判定結果に基づいて、前記基準を満たすように前記加熱器の加熱量を調整する調整処理と、
前記調整処理の調整結果に基づいてライトオフセット量を決定し、決定されたライトオフセット量に基づいて前記ライトヘッドの位置をシフトするように制御する位置制御処理と
を備える磁気記録装置。
【請求項２】
記録層を備え、バンド内に第１トラックおよび前記第１トラックと部分的に重なる第２トラックとを含むトラック群を有するディスクと、
前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと、
前記ライトヘッド及び前記リードヘッドの位置を制御するコントローラと
を具備し、
前記コントローラは、
前記第１トラックから得られる第１の記録信号の品質を測定する第１測定処理と、
前記第２トラックから得られる第２の記録信号の品質を測定する第２測定処理と、
前記第１測定処理で得られた前記第１の記録信号の品質と前記第２測定処理で得られた第２の記録信号の品質とを比較する比較処理と、
前記比較処理の比較結果に基づいて前記加熱器の加熱量を調整する調整処理と、
前記調整処理の調整結果に基づいて前記ライトヘッドの位置を前記第１トラックと前記第２トラックとの間隔が前記バンド内で一定となるように制御する位置制御処理と
を備える磁気記録装置。
【請求項３】
記録層を備え、バンド内に第１トラックおよび前記第１トラックと部分的に重なる第２トラックとを含むトラック群を有するディスクと、
前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと、
前記ライトヘッド及び前記リードヘッドの位置を制御するコントローラと
を具備し、
前記コントローラは、
初期過程で測定される前記ディスクの記録信号品質を保存する保存処理と、
前記データの書き込み前に前記ディスクの記録信号品質を検査する検査処理と、
前記検査処理で得られた記録信号品質が前記保存処理で保存された初期過程での記録信号品質と比較して基準を満たしているか判定する判定処理と、
前記判定処理の判定結果に基づいて、前記基準を満たすように前記加熱器の加熱量を調整する調整処理と、
前記調整処理の調整結果に基づいて前記リードヘッドの位置を制御する位置制御処理と
を備える磁気記録装置。
【請求項４】
記録層を備え、バンド内に第１トラックおよび前記第１トラックと部分的に重なる第２トラックとを含むトラック群を有するディスクと、
前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと、
前記ライトヘッド及び前記リードヘッドの位置を制御するコントローラと
を具備し、
前記コントローラは、
前記第１トラックから得られる第１の記録信号の品質を測定する第１測定処理と、
前記第２トラックから得られる第２の記録信号の品質を測定する第２測定処理と、
前記第１測定処理で得られた前記第１の記録信号の品質と前記第２測定処理で得られた第２の記録信号の品質とを比較する比較処理と、
前記比較処理の比較結果に基づいて前記加熱器の加熱量を調整する調整処理と、
前記調整処理の調整結果に基づいて前記リードヘッドの位置を制御する位置制御処理と
を備える磁気記録装置。
【請求項５】
前記加熱器は、前記ディスクに前記記録層を加熱する光を照射する光照射素子であり、
前記調整処理は、前記光照射素子の光照射パワーを調整する
請求項１乃至請求項４のいずれか１項記載の磁気記録装置。
【請求項６】
記録層を備え、バンド内に第１トラックおよび前記第１トラックと部分的に重なる第２トラックとを含むトラック群を有するディスクと、
前記ディスクに前記記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと
を具備する磁気記録装置の磁気ヘッド制御方法であって、
初期過程で前記ディスクの記録信号品質を測定して保存し、
前記データの書き込み前に前記ディスクの記録信号品質を検査し、
前記検査で得られた記録信号品質が前記保存された初期過程での記録信号品質と比較して基準を満たしているか判定し、
前記判定の結果に基づいて、前記基準を満たすように前記加熱器の加熱量を調整し、
前記調整の結果からライトオフセット量を決定し、
前記決定されたライトオフセット量に基づいて前記ライトヘッドの位置をシフトするように制御する
磁気記録装置の磁気ヘッド制御方法。
【請求項７】
記録層を備え、バンド内に第１トラックおよび前記第１トラックと部分的に重なる第２トラックとを含むトラック群を有するディスクと、
前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと
を具備する磁気記録装置の磁気ヘッド制御方法であって、
前記第１トラックから得られる第１の記録信号の品質を測定し、
前記第２トラックから得られる第２の記録信号の品質を測定し、
前記第１の記録信号の品質と前記第２の記録信号の品質とを比較し、
前記第１の記録信号の品質と前記第２の記録信号の品質との比較結果に基づいて前記加熱器の加熱量を調整し、
前記調整の結果に基づいて前記ライトヘッドの位置を前記第１トラックと前記第２トラックとの間隔が前記バンド内で一定となるように制御する
磁気記録装置の磁気ヘッド制御方法。
【請求項８】
記録層を備え、バンド内に第１トラックおよび前記第１トラックと部分的に重なる第２トラックとを含むトラック群を有するディスクと、
前記ディスクに前記記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと
を具備する磁気記録装置の磁気ヘッド制御方法であって、
初期過程で測定される前記ディスクの記録信号品質を保存し、
前記データの書き込み前に前記ディスクの記録信号品質を検査し、
前記検査で得られた記録信号品質が前記保存された初期過程での記録信号品質と比較して基準を満たしているか判定し、
前記判定の結果に基づいて、前記基準を満たすように前記加熱器の加熱量を調整し、
前記調整の結果に基づいて前記リードヘッドの位置を制御する
磁気記録装置の磁気ヘッド制御方法。
【請求項９】
記録層を備え、バンド内に第１トラックおよび前記第１トラックと部分的に重なる第２トラックとを含むトラック群を有するディスクと、
前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと
を具備する磁気記録装置の磁気ヘッド制御方法であって、
前記第１トラックから得られる第１の記録信号の品質を測定し、
前記第２トラックから得られる第２の記録信号の品質を測定し、
前記第１の記録信号の品質と前記第２の記録信号の品質とを比較し、
前記比較の結果に基づいて前記加熱器の加熱量を調整し、
前記調整の結果に基づいて前記リードヘッドの位置を制御する
磁気記録装置の磁気ヘッド制御方法。
【請求項１０】
前記加熱器が、前記ディスクに前記記録層を加熱する光を照射する光照射素子であるとき、
前記調整は、前記光照射素子の光照射パワーを調整する
請求項６乃至請求項９のいずれか１項記載の磁気記録装置の磁気ヘッド制御方法。
【手続補正２】
【補正対象書類名】明細書
【補正対象項目名】０００７
【補正方法】変更
【補正の内容】
【０００７】
本実施形態に係る磁気記録装置は、記録層を備え、バンド内に第１トラックおよび前記第１トラックと部分的に重なる第２トラックとを含むトラック群を有するディスクと、前記ディスクの記録層を加熱する加熱器と、前記ディスクの前記加熱器で加熱した範囲にデータを書き込むライトヘッドと、前記ディスクの前記トラック群内のトラックからデータを読み込むリードヘッドとを備える磁気ヘッドと、前記ライトヘッド及び前記リードヘッドの位置を制御するコントローラとを具備する。前記コントローラは、初期過程で測定される前記ディスクの記録信号品質を保存する保存処理と、前記データの書き込み前に前記ディスクの記録信号品質を検査する検査処理と、前記検査処理で得られた記録信号品質が前記保存処理で保存された初期過程での記録信号品質と比較して基準を満たしているか判定する判定処理と、前記判定処理の判定結果に基づいて、前記基準を満たすように前記加熱器の加熱量を調整する調整処理と、前記調整処理の調整結果に基づいてライトオフセット量を決定し、決定されたライトオフセット量に基づいて前記ライトヘッドの位置をシフトするように制御する位置制御処理を実行する。